(57)【要約】      （修正有）【課題】周囲を気にすることなく個々人で好みの芳香を楽しむことができるように、簡易な構造で芳香物質の吐出量を調整できる芳香容器を提供する。【解決手段】芳香容器１は、液体状の芳香物質１０を収容する容器本体２と、容器本体の口部に取り付けられたキャップ部３と、キャップ部に取り付けられたポンプ部４と、を備える。ポンプ部は、上方に付勢された状態で下方に移動可能に構成された軸部４４と、軸部の上端に設けられた押下部４５と、を有し、押下部を押下することにより容器本体内の芳香物質を吸引して吐出するよう構成される。押下部は、芳香物質を吐出する吐出口と、吐出口から吐出された芳香物質を受ける受皿部４６と、を有する。ポンプ部には、押下部の押下量を調整する押下調整部５が設けられている。【選択図】図１
0003221000.tif 000002
【実用新案登録請求の範囲】
【請求項１】
液体状の芳香物質を収容する容器本体と、
前記容器本体の口部に取り付けられたキャップ部と、
前記キャップ部に取り付けられたポンプ部と、を備え、
前記ポンプ部は、上方に付勢された状態で下方に移動可能に構成された軸部と、前記軸部の上端に設けられた押下部と、を有し、前記押下部を押下することにより前記容器本体内の前記芳香物質を吸引して吐出するよう構成され、
前記押下部は、前記芳香物質を吐出する吐出口と、前記吐出口から吐出された前記芳香物質を受ける受皿部と、を有し、
前記ポンプ部には、前記押下部の押下量を調整する押下調整部が設けられている、芳香容器。
【請求項２】
前記押下部の下方への移動を規制する規制部をさらに備え、前記押下調整部は、前記押下部と前記規制部との間に設けられ、前記軸部に外挿された１又は複数の板状の外挿部材である、請求項１に記載の芳香容器。
【請求項３】
前記外挿部材は、座金又は止め輪である、請求項２に記載の芳香容器。
【考案の詳細な説明】
【技術分野】
【０００１】
本考案は、芳香（アロマ）を楽しむための芳香容器に関する。
【背景技術】
【０００２】
従来、芳香（アロマ）を楽しむ様々な手段や方法が提案されている。例えば、スプレーを用いて液体状の芳香物質を噴霧したり、ディフューザー等の装置を用いて霧状にした芳香物質を空間に拡散したりする方法がある（特許文献１等参照）。また、スポイト付き容器に入った液体状の芳香物質をスポイトで吸引し、所定の場所に滴下する方法がある。
【先行技術文献】
【特許文献】
【０００３】
【特許文献１】特開２０１５−２８４０４号公報
【考案の概要】
【考案が解決しようとする課題】
【０００４】
しかしながら、スプレーやディフューザー等の装置を用いた場合には、芳香物質が空間に広がりすぎる等、芳香物質の拡散範囲を制御することが困難である。また、スポイト容器を用いた場合には、スポイト付きの蓋を開け、スポイトで吸引して滴下するため、作業が煩雑である。また、作業中に容器を倒して芳香物質をこぼしてしまうおそれがある。
【０００５】
本考案は、周囲を気にすることなく個々人で好みの芳香を楽しむことができるように、簡易な構造で芳香物質の吐出量を調整できる芳香容器を提供する。
【課題を解決するための手段】
【０００６】
本考案の一の態様である芳香容器は、液体状の芳香物質を収容する容器本体と、容器本体の口部に取り付けられたキャップ部と、キャップ部に取り付けられたポンプ部と、を備える。ポンプ部は、上方に付勢された状態で下方に移動可能に構成された軸部と、軸部の上端に設けられた押下部と、を有し、押下部を押下することにより容器本体内の芳香物質を吸引して吐出するよう構成される。押下部は、芳香物質を吐出する吐出口と、吐出口から吐出された芳香物質を受ける受皿部と、を有する。ポンプ部には、押下部の押下量を調整する押下調整部が設けられている。
【０００７】
上記芳香容器によれば、ポンプ部には、押下部の押下量を調整する押下調整部が設けられている。そのため、押下部を押下することにより吐出口から吐出される芳香物質の量を調整できる。これにより、簡易な構造で芳香物質の吐出量を調整できる。また、芳香物質の吐出量を調整できることにより、芳香物質の拡散範囲を容易に制御でき、周囲を気にすることなく個々人で好みの芳香を楽しむ手段として上記芳香容器を用いることができる。
【０００８】
上記芳香容器において、押下部の下方への移動を規制する規制部をさらに備え、押下調整部は、押下部と規制部との間に設けられ、軸部に外挿された１又は複数の板状の外挿部材であってもよい。この場合には、外挿部材の数や厚みを変化させることによって押下部の押下量を容易に調整できる。
【０００９】
また、外挿部材は、座金又は止め輪であってもよい。この場合には、簡易な部材を用いて押下部の押下量を容易に調整できる。
【図面の簡単な説明】
【００１０】
【図１】芳香容器の側面図である。
【図２】（Ａ）及び（Ｂ）は押下部を示す説明図である。
【図３】ポンプ部の押下部の拡大断面図である。
【考案を実施するための形態】
【００１１】
以下、本考案の実施形態を図面と共に説明する。
図１〜図３に示すように、本実施形態の芳香容器１は、例えば個々人で好みの芳香（アロマ）を楽しむためのものであり、容器本体２と、キャップ部３と、ポンプ部４と、を備えている。
【００１２】
容器本体２は、上部において開口する口部（図示省略）を有する。容器本体２内には、液体状の芳香物質１０が収容されている。本実施形態では、芳香物質１０として液体状の香料を用いている。香料としては、天然香料や合成香料を用いることができる。香料の種類としては、アロマ、フレグランス、ハーブ等が挙げられる。
【００１３】
キャップ部３は、容器本体２の口部に取り付けられている。キャップ部３は、容器本体２の口部を閉塞するように口部に螺着されている。キャップ部３には、ポンプ部４を貫通配置するための貫通孔（図示省略）が設けられている。
【００１４】
ポンプ部４は、キャップ部３の貫通孔を貫通するように配置されている。ポンプ部４は、ポンプ本体４１を有する。ポンプ本体４１は、六角ナットからなる固定部材（規制部）４２によってキャップ部３に固定されている。ポンプ本体４１の下端部には、容器本体２内の芳香物質１０を吸引する吸引チューブ４３が取り付けられている。
【００１５】
ポンプ本体部４１には、ポンプ本体部４１から上方に突出するように軸部４４が取り付けられている。軸部４４は、上方に付勢された状態で下方に移動可能に構成されている。軸部４４の上端には、押下部４５が設けられている。軸部４４と押下部４５とは一体的に構成されている。押下部４５は、固定部材４２によって下方への移動が規制されている。すなわち、押下部４５は、後述する押下調整部５が設けられていない場合、下方へ移動させ続けると固定部材４２に接触し、それ以上は下方に移動できないようになっている。
【００１６】
押下部４５は、半円球状の受皿部４６を有する。受皿部４６の内側には、芳香物質１０を吐出する吐出口４７１を有する吐出部４７が設けられている。受皿部４６は、吐出口４７１から吐出された芳香物質１０を受ける。すなわち、吐出口４７１から吐出された芳香物質１０は、受皿部４６内に溜まる。
【００１７】
ポンプ部４は、従来公知のポンプ機能を有する。ポンプ部４は、押下部４５を押下することにより、容器本体２内の芳香物質１０を吸引チューブ４３から吸引し、吐出部４７の吐出口４７１から受皿部４６内に吐出するように構成されている。ポンプ部４は、押下部４５の押下量（下方への移動量）によって吐出する芳香物質１０の量が変化するように構成されている。
【００１８】
ポンプ部４には、押下部４５の押下量を調整する押下調整部５が設けられている。押下調整部５は、押下部４５と固定部材４２との間に設けられている。押下部４５は、軸部４４に外挿された板状の４つの外挿部材５１により構成されている。本実施形態では、外挿部材５１としてＥ型スナップリング（止め輪）を用いている。
【００１９】
押下部４５は、押下調整部５（４つの外挿部材５１）により、下方へ移動させると押下調整部５に接触し、押下部４５の押下量（下方への移動量）が規制される。押下部４５の押下量は、押下調整部５によって調整できる。すなわち、押下調整部５は、押下部４５を押下したときに吐出口４７１から吐出される芳香物質１０の量を調整できる。
【００２０】
本実施形態では、図２（Ａ）、（Ｂ）に示すように、押下部４５の（最大）押下量は、押下調整部５を設けない場合には、押下部４５と固定部材４２との間の距離Ａ１であるが、押下調整部５を設けた場合には、押下部４５と押下調整部５との間の距離Ａ２（＜距離Ａ１）となる。なお、押下部４５の押下量は、外挿部材５１の数や厚みを変化させることによって調整できる。
【００２１】
また、本実施形態では、押下部４５を２、３度押下したときに吐出口４７１から吐出される芳香物質１０の量を約０．０５ｍｌとなるように調整している。これにより、芳香が空間に広がりすぎないように（他人の迷惑とならないように）、例えば個々人で芳香を楽しむことができるように芳香の拡散範囲が９０ｃｍ以内となるように調整している。
【００２２】
このような芳香容器１は、周囲を気にすることなく個々人で好みの芳香を楽しむ手段として用いることができる。例えば、図３に示すように、好みの芳香を有する芳香物質１０を容器本体２内に入れ、押下部４５を押下して芳香物質１０を吐出口４７１から吐出させる。そして、受皿部４６に溜まった芳香物質１０を賦香紙６に染み込ませ、香りを嗅いで楽しむ。異なる芳香物質１０を入れた複数の芳香容器１を準備すれば、気分に合わせて芳香を楽しむことができる。このように芳香を楽しむことで、リフレッシュ、リラックス、メンタルケア等の効果が得られる。
【００２３】
次に、本実施形態の芳香容器１における作用効果について説明する。
本実施形態の芳香容器１によれば、ポンプ部４には、押下部４５の押下量を調整する押下調整部５が設けられている。そのため、押下部４５を押下することにより吐出口４７１から吐出される芳香物質１０の量を調整できる。これにより、簡易な構造で芳香物質１０の吐出量を調整できる。また、芳香物質１０の吐出量を調整できることにより、芳香物質の拡散範囲を容易に制御でき、周囲を気にすることなく個々人で好みの芳香を楽しむ手段として芳香容器１を用いることができる。
【００２４】
また、芳香容器１は、押下部４５の下方への移動を規制する固定部材（規制部）４２をさらに備え、押下調整部５は、押下部４５と固定部材４２との間に設けられ、軸部４４に外挿された複数の板状の外挿部材５１である。そのため、外挿部材５１の数や厚みを変化させることによって押下部４５の押下量を容易に調整できる。また、外挿部材５１は、スナップリング（止め輪）である。そのため、簡易な部材を用いて押下部４５の押下量を容易に調整できる。
【００２５】
（その他の実施形態）
本考案は、上記実施形態に何ら限定されるものではなく、本考案を逸脱しない範囲において種々の態様で実施しうることはいうまでもない。
【００２６】
（１）上記実施形態において、押下調整部５の外挿部材５１としてＥ型スナップリングを用いたが、他の形状の各種スナップリング等を用いてもよいし、各種形状のワッシャー（座金）等を用いてもよい。また、押下調整部５は、押下部４５の押下量を調整できる部材であれば、これらの部材に限定されるものではない。
【００２７】
（２）芳香物質１０の拡散範囲は、押下調整部５によって芳香物質１０の吐出量を調整することによって制御できるが、芳香物質１０の吐出量だけでなく、芳香物質１０の濃度を調整することによっても制御できる。
【００２８】
（３）上記実施形態における１つの構成要素が有する機能を複数の構成要素として分散させたり、複数の構成要素が有する機能を１つの構成要素に統合したりしてもよい。また、上記実施形態の構成の一部を省略してもよい。また、上記実施形態の構成の少なくとも一部を、他の上記実施形態の構成に対して付加、置換等してもよい。なお、実用新案登録請求の範囲に記載の文言から特定される技術思想に含まれるあらゆる態様が本考案の実施形態である。
【符号の説明】
【００２９】
１…芳香容器、２…容器本体、３…キャップ部、４…ポンプ部、５…押下調整部、１０…芳香物質、２１…口部、４２…固定部材（規制部）、４４…軸部、４５…押下部、４６…受皿部、４７１…吐出口、５１…外挿部材
【図１】
0003221000.tif 000003
【図２】
0003221000.tif 000004
【図３】
0003221000.tif 000005